(57)【要約】      （修正有）【課題】クロストークを低減したＰＳＡＳコネクタ構造を提供する。【解決手段】オス部品をメス部品に挿し込むコネクタ構造であって、オス部品は、オスプラスティック部品２１、オスシールドシェル２２、オス信号端子部品２４、固定ピン２５及びオス信号・電源端子２３からなり、メス部品は、これらに相対するメスプラスティック部品、メスシールドシェル、メス信号・電源端子、メス端子及び固定片からなり、上記オスシールドシェル及びメスシールドシェルは、それぞれ上記信号端子部品を挿入、固定した被覆型構造をなし、それぞれハンダ足を備えてＰＣＢボードのアースとして接続する。【選択図】図１
0003234928.tif 000002
【実用新案登録請求の範囲】
【請求項１】
オス部品をメス部品に挿し込むコネクタ構造からなり、
上記メス部品は、メスプラスティック部品、メスシールドシェル、メス信号端子部品、固定ピン及びメス信号・電源端子を有し、
該信号・電源端子をメスプラスティック部品内に挿入して、該メス信号・電源端子を配列した単列ピン構造とし、
上記メス信号端子部品をメスシールドシェル内に挿入して該メスシールドシェルをメスプラスティック部品内に挿入すると共に、前記メスプラスティック部品の両サイドにそれぞれスロットを設けて固定ピンをスロットに挿入し、
上記オス部品は、オスプラスティック部品、オスシールドシェル、オス信号・電源端子、オス端子及び固定片を有し、
該オス信号・電源端子をオスプラスティック部品の中に挿入して、該オス信号・電源端子を配列した単列ピン構造とし、
該オス端子をオスシールドシェル内に挿入して該オスシールドシェルをオスプラスティック部品内に挿入し、前記オスプラスティック部品の両サイドにそれぞれ掛合口を設けて固定片を掛合口内に挿入し、
前記メス信号端子部品の中間部分にボックス本体を設け、その一端は弓状端子、他端はボックス本体から露出して下向きに彎曲する彎曲端子とし、
前記メスシールドシェルは、メス信号端子部品を収容する被覆型構造であって、
一つのボックス本体が、一つのメスシールドシェルに対応し、
該メスシールドシェルの一端側に開口を設け、前記メス信号端子部品の弓状端子は該開口から露出し、
また、メスシールドシェルの両サイドに突出した弾性片を設け、
前記オス端子はＬ字型を呈し、且つ二つ一組としてプラスティックによって固定され、オスシールドシェル中に挿入して固定されて、オスシールドシェルはＬ字型を呈して前記オス端子に対する被覆型構造であり、
オスシールドシェル一端側面に開口を設けてオス端子の一端を露出する、
ことを特徴とする新型ＰＳＡＳコネクタ構造。
【請求項２】
前記オスシールドシェルは互いに接して全体のシールドを形成し、オスシールドシェルにはんだ足を設け、二つのオスシールドシェルを一組としてパッドにはんだ付けし、前記オスシールドはオスアース端子としてＰＣＢボードのアースとして接続した、
ことを特徴とする請求項１記載の新型ＰＳＡＳコネクタ構造。
【請求項３】
前記メスシールドシェルは互いに接して全体のシールドシェルを形成し、メスシールドシェルにはんだ足を設け、二つのメスシールドシェルを一組としてパッドにはんだ付けし、前記メスシールドシェルはメスアース端子としてＰＣＢボードのアースと接続した、
ことを特徴とする請求項１記載の新型ＰＳＡＳコネクタ構造。
【請求項４】
前記メスシールドシェルの弾性片を挿し込む際、オス端子と接触することを特徴とする請求項１記載の新型ＰＳＡＳコネクタ構造。
【請求項５】
前記オスシールドシェルの前記開口に接する一端は封鎖し、これとは別に他端に設けた開口からオス端子の他端を露出することを特徴とする請求項１記載の新型ＰＳＡＳコネクタ構造。
【請求項６】
オスシールドシェル中に挿入されたオス端子の一端はオスシールドシェルの封鎖端に当接すると共に前記開口から露出し、オス端子の他端は、オスシールドシェルの他端側の開口から延伸して露出することを特徴とする請求項１或いは請求項５記載の新型ＰＳＡＳコネクタ構造。
【請求項７】
前記オスシールドシェルの開口両サイドに、外向けに反る弾性プレートを設け、オスシールドシェルの両サイドに挿し込む、弾性プレートとメス信号端子部品は接触することを特徴とする請求項１記載の新型ＰＳＡＳコネクタ構造。
【考案の詳細な説明】
【技術分野】
【０００１】
本考案は、ＰＳＡＳコネクタの構造に関し、特に高速伝送するＰＳＡＳコネクタ構造に関する。
【背景技術】
【０００２】
当該技術分野ではデータ保存量が絶えず増加するのに連れて、ますます高い伝送速度が要求され、高速伝送業界では、クロック周波数の引き上げ及び立ち上がり時間の急激な短縮を意味し、これらの変化は、いずれもコネクタの伝送速度に対する要求がますます高くなり、コネクタの帯域幅、すなわち伝送速度に対する要求もますます高くなっている。伝送速度を上げるには、クロストークを克服する必要があることを鑑みて、更なる改善が必要であった。
【先行技術文献】
【特許文献】
【０００３】
【特許文献１】実用新案登録第３２２８８５９号公報
【特許文献２】実用新案登録第３２３２７１５号公報
【特許文献３】実用新案登録第３２３３３６２号公報
【考案の概要】
【考案が解決しようとする課題】
【０００４】
前記公知構造の欠点を解決するため、本考案はクロストークを改善した一種の高速伝送のＰＳＡＳコネクタ構造を提供することを主な課題とする。
【課題を解決するための手段】
【０００５】
上述の目的を解決するために、本考案は新型ＰＳＡＳコネクタ構造を提供するものであり、それに含まれるのはメス部品及びオス部品である。該オス部品はメス部品に挿し込んでエコネクタを構成する。
【０００６】
前記メス部品は、メスプラスティック部品、メスシールドシェル、メス信号端子部品、固定ピン及びメス信号・電源端子からなり、
該信号・電源端子をメスプラスティック部品内に挿入して該信号・電源端子を一列に配列した単列ピン構造を構成する。前記メス信号端子部品をメスシールドシェル内に挿入し、さらに該メスシールドシェルをメスプラスティック部品内に挿入する。該メスプラスティック部品の両サイドにそれぞれスロットを設けて固定ピンを該スロットに挿入する。
【０００７】
前記オス部品は、オスプラスティック部品、オスシールドシェル、オス信号・電源端子、オス端子及び固定片から構成され、該オス信号・電源端子をオスプラスティック部品の中に挿入して、該オス信号・電源端子を一列に配列した単列ピン構造を構成する。前記オス端子をオスシールドシェル内に挿入し、さらに該オスシールドシェルをオスプラスティック部品内に挿入する。該オスプラスティック部品の両サイドにそれぞれ掛合口を設けて固定片を掛合口内に挿入する。
【０００８】
更に、最良実施例として、メス信号端子部品の中間部分にボックス本体を設け、一端は弓状端子、別端はボックス本体から少し露出し、下向きに彎曲する彎曲端子である。メスシールドシェルは被覆型構造である。一つのボックス本体が、一つのメスシールドシェルに対応する。前記メスシールドシェルの上に開口を設ける。メス信号端子部品の弓状端子は開口の部分から露出する。メスシールドシェルの両サイドに突出した弾性片を設ける。
【０００９】
更に、最良実施例として、オス端子はＬ字型を呈し、且つ二つ一組でプラスティックによって固定され、オスシールドシェルの中に挿入して固定されている。オスシールドシェルはＬ字型を呈する被覆型構造であり、オスシールドシェルの上に開口を設け、オス端子の一端を露出する。
【００１０】
更に、最良実施例として、オスシールドシェルは互いに接して全体のシールドを形成する。オスシールドシェルにはんだ足を設け、二つのオスシールドシェルを一組としてパッドにはんだ付けする。前記オスシールドはオスアース端子であり、ＰＣＢボードのアースと接続する。
【００１１】
更に最良実施例として、メスシールドシェルは互いに接して全体のシールドシェルを形成する。メスシールドシェルにはんだ足を設け、二つのメスシールドシェルを一組としてパッドにはんだ付けする。該メスシールドシェルはメスアース端子であり、ＰＣＢボードのアースと接続する。
【００１２】
更に最良実施例として、メスシールドシェルの弾性片を挿し込む際、オス端子と接触する。
【００１３】
更に最良実施例として、オスシールドシェルの一端は封鎖し、別端は別途に一つの開口を設ける。
【００１４】
更に最良実施例として、オス端子の一端はオスシールドシェルの封鎖端に抵触し、別端の端子は、オスシールドシェルの別端の別の開口から延伸する。
【００１５】
更に最良実施例として、オスシールドシェルの開口両サイドに、外向けに反る弾性プレートを設け、オスシールドシェルの両サイドに挿し込む際、弾性プレートとメス信号端子部品は接触する。
【考案の効果】
【００１６】
従来技術に相対し、本考案のＰＳＡＳコネクタ構造の改善点は、特殊な端子構造デザインであり、頭尾が成型されたプラスティックの方法を採用して固定する。被覆型のシールドシェルのデザインで、大幅に信号端子のクロストーク性能を改善する。
シールドシェル間を互いに接触させ、一つのグラウンドを形成する。シールドシェルは接触エリアとはんだ足エリアではアース端子の代わりとなり、一端は対応端と挿し込み、別端ははんだ足としてパッドにはんだ付けして、クロストーク性能を向上することにより、新世代のＰＳＡＳコネクタの高速化ニーズを満たす。
【図面の簡単な説明】
【００１７】
【図１】本考案の新型ＰＳＡＳコネクタ構造のオス部品の分解図である。
【図２】本考案の新型ＰＳＡＳコネクタ構造のメス部品の分解図である。
【図３】本考案の新型ＰＳＡＳコネクタ構造のオス部品の全体正面図である。
【図４】本考案の新型ＰＳＡＳコネクタ構造のオス部品の全体背面図である。
【図５】本考案の新型ＰＳＡＳコネクタ構造のメス部品の全体背面図(一)である。
【図６】本考案の新型ＰＳＡＳコネクタ構造のメス部品の全体背面図(二)である。
【図７】本考案の新型ＰＳＡＳコネクタ構造のオスシールドシェル構造図である。
【図８】本考案の新型ＰＳＡＳコネクタ構造のオスシールドシェル分解図である。
【図９】本考案の新型ＰＳＡＳコネクタ構造のメスシールドシェル構造図である。
【図１０】本考案の新型ＰＳＡＳコネクタ構造のメスシールドシェル分解図である。
【考案を実施するための形態】
【００１８】
以下、図１乃至図１０を参照して、具体的な実施例により本考案を詳細に説明するが、これらの説明の内容により本考案を限定するものではない。
【実施例】
【００１９】
図１及び図１０に示すように、本考案の新型ＰＳＡＳコネクタ構造に含まれるのはメス部品１及びオス部品２である。前記オス部品２はメス部品１に挿し込む。
【００２０】
メス部品１に含まれるのはメスプラスティック部品１１、メスシールドシェル１２、メス信号端子部品１３、固定ピン１４及びメス信号・電源端子１５である（図２参照）。
【００２１】
オス部品２に含まれるのはオスプラスティック部品２１、オスシールドシェル２２、オス信号・電源端子２３、オス端子２４及び固定片２５である（図１参照）。
【００２２】
メス信号端子部品１３の中間部分にボックス本体１３１を設け、その一端は弓状端子１３２、他端はボックス本体から少し露出して下向きに彎曲する彎曲端子１３３である（図５，６，９、１０参照）。
メスシールドシェル１２は、メス信号端子部品１３を収容する被覆型構造であって、一つのボックス本体１３１が、一つのメスシールドシェル１２に対応する。該メスシールドシェル１２一端側に開口を設け、前記メス信号端子部品１３の弓状端子１３２は該開口から露出する。また、メスシールドシェル１２の両サイドに突出した弾性片１２２を設ける。
【００２３】
オス端子２４はＬ字型を呈し（図１，３，４，７，図８参照）、且つ二つ一組でプラスティック２４１によって固定され、オスシールドシェル２２中に挿入して固定されている。該オスシールドシェル２２はＬ字型を呈する被覆型構造であり、オスシールドシェル２２の一端側面に開口２２１を設けてオス端子２４の一端２４２を露出する。
【００２４】
オスシールドシェル２２の上記開口２２１に接する一端は封鎖し、これとは別に他端に設けた開口からオス端子２４の他端２４３を露出する。
【００２５】
オスシールドシェル２２中に挿入されたオス端子２４の一端２４２はオスシールドシェル２２の封鎖端に当接すると共に前記開口２２１から露出し、オス端子の他端２４３は、オスシールドシェル２２の他端側の開口から延伸して露出する（図４，８参照）。
【００２６】
図１〜図１０に示すように、本考案の新型ＰＳＡＳコネクタ構造の具体的な実施例は次のとおりである。
オス信号・電源端子２３をオスプラスティック部品２１中に挿入し、オス信号・電源端子２３が一列に配列された単列ピン構造とする。
前記オス端子２４をオスシールドシェル２２内に挿入して、該オスシールドシェル２２をオスプラスティック部品２１内に挿入する。前記オスプラスティック部品２１の両サイドにそれぞれ掛合口２１１を設け、固定片２５を掛合口２１１内に挿入する。
メス信号・電源端子１５をメスプラスティック部品１１内に挿入し、メス信号・電源端子１５が一列に配列した単列ピン構造とする。
前記メス信号端子部品１３をメスシールドシェル１２内に挿入すると共に、メスシールドシェル１２をメスプラスティック部品１１内に挿入する。前記メスプラスティック部品１１の両サイドにそれぞれスロット１１１を設け、固定ピン１４をスロット１１１に挿入する。
【００２７】
オスシールドシェル２２は互いに接して全体のシールドを形成する。
オスシールドシェル２２にはんだ足を設け、二つのオスシールドシェル２２を一組としてパッドにはんだ付けし、該オスシールド２２はオスアース端子としてＰＣＢボードのアースと接続する。
メスシールドシェル１２は互いに接して全体のシールドシェルを形成する。メスシールドシェル１２にはんだ足１２３を設け、二つのメスシールドシェル１２を一組としてパッドにはんだ付けし、該メスシールドシェル１２はメスアース端子としてＰＣＢボードのアースと接続する。
【００２８】
これらのメス部品１とオス部品２のコネクタを組合わせると、メスシールドシェル１２の弾性片１２２を挿し込む際、オス端子２４と接触する。
オスシールドシェル２２の開口両サイドに、外向けに反った弾性プレート２２２を設け、オスシールドシェル２２の両サイドに挿し込む際、弾性プレート２２２とメス信号端子部品１３は接触する。
以上の構成により本考案は、大幅に信号端子のクロストーク性能を改善し、新世代のＰＳＡＳコネクタの高速化ニーズを満たす。
【００２９】
以上の実施例による本考案の詳細な説明は、本考案の技術的範囲を制限するものではなく、当業者によって、固定構造の変更などの調整は適宜になし得るところであって、これらの変更および調整を行っても本考案の主たる意義は失われず、本考案の技術的範囲に含まれる。
【符号の説明】
【００３０】
１      メス部品
１１    メスプラスティック部品
１１１  スロット
１２    メスシールドシェル
１２１  開口
１２２  弾性片
１２３  はんだ足
１３    メス信号端子部品
１３１  ボックス本体
１３２  弓状端子
１３３  彎曲端子
１４    固定ピン
１５    メス信号・電源端子
２      オス部品
２１    オスプラスティック部品
２１１  掛合口
２２      オスシールドシェル
２２１    開口
２２２    弾性プレート
２３      オス信号・電源端子
２４      オス信号端子部品
２４１    プラスティック
２４２    一端
２４３    端子
２５      固定片
【図１】
0003234928.tif 000003
【図２】
0003234928.tif 000004
【図３】
0003234928.tif 000005
【図４】
0003234928.tif 000006
【図５】
0003234928.tif 000007
【図６】
0003234928.tif 000008
【図７】
0003234928.tif 000009
【図８】
0003234928.tif 000010
【図９】
0003234928.tif 000011
【図１０】
0003234928.tif 000012